(57)【要約】      （修正有）【課題】ＵＰ/ＤＯＷＮ選局操作において、テレビ受信機における映像提示までに要する実時間を短縮する。【解決手段】ステップＳ１においてＵＰ/ＤＯＷＮ選局指示を受けると、ステップＳ２において映像/音声出力の切り換えを行ない、ステップＳ３において設定すべきチューナを選択する。設定すべきチューナとして第１チューナが選択された場合には、第１チューナへの周波数設定を行ない、ＴＳ信号を取得し、ＭＰＥＧのＤＥＭＵＸ処理を行なう。次いで、ＥＳ信号を取得し、ＭＰＥＧのＤＥＣＯＤＥ処理を行ない、映像/音声出力処理を行ない、ステップＳ１に戻る。ステップＳ３において第２チューナが選択されると、第２チューナへの周波数設定が行なわれ、ＴＳ信号を取得し、ＭＰＥＧ  ＤＥＭＵＸ処理を行なう。次いで、ＥＳ信号を取得し、ＭＰＥＧ  ＤＥＣＯＤＥＣ処理を行ない、映像/音声の出力処理を行ない、ステップＳ１に戻る。【選択図】図２
2007235788.tif 000002
【特許請求の範囲】
【請求項１】
第１のチューナと第２のチューナとの少なくとも２つのチューナを有するテレビ受信機であって、
直前のチャネル番号のＵＰ/ＤＯＷＮ選局処理に基づいて次に行なわれるＵＰ/ＤＯＷＮ選局処理の内容を推測し、前記第１及び第２のチューナのうち直前のチャネル番号のＵＰ/ＤＯＷＮ選局処理が行なわれた方とは異なるチューナにおいて、前記推測に基づいて選局処理の準備を開始する指示を行なう制御部を有することを特徴とするテレビ受信機。
【請求項２】
第１から第３までの少なくとも３つのチューナを有するテレビ受信機であって、
直前のチャネル番号のＵＰ/ＤＯＷＮ選局処理に応じて起動されるチューナとは異なる２つのチューナにおいて、ＵＰとＤＯＷＮとの選局処理の準備を開始する指示を行なう制御部を有することを特徴とするテレビ受信機。
【請求項３】
前記選局処理の準備は、前記異なるチューナへの周波数設定と、ＴＳ信号の取得と、ＭＰＥＧ信号のＤＥＭＵＸ処理と、ＥＳ信号の取得と、ＭＰＥＧ信号のデコード処理と、を有することを特徴とする請求項１又は２に記載のテレビ受信機。
【請求項４】
第１のチューナと第２のチューナとの少なくとも２つのチューナを有するテレビ受信機におけるチャネル番号のＵＰ/ＤＯＷＮ選局処理方法であって、
直前のチャネル番号のＵＰ/ＤＯＷＮ選局処理に基づいて次に行なわれるＵＰ/ＤＯＷＮ選局処理の内容を推測するステップと、
前記第１及び第２のチューナのうち直前のチャネル番号のＵＰ/ＤＯＷＮ選局処理が行なわれた方とは異なるチューナにおいて、前記推測に基づいて選局処理の準備を開始する指示を行なうステップと
を有することを特徴とするＵＰ/ＤＯＷＮ選局処理方法。
【請求項５】
コンピュータに請求項３に記載のステップを実行させるためのプログラム。
【発明の詳細な説明】
【技術分野】
【０００１】
本発明は、テレビ受信機に関し、特に、テレビ受信機における選局技術に関する。
【背景技術】
【０００２】
一般的なデジタル放送受信機では、単一のチューナに対して以下のような処理を行なっている。図５は、デジタル放送受信機における一般的なＵＰ/ＤＯＷＮ選局指示に関する処理の流れを示すフローチャート図である。図５に示すように、まず、ＵＰ/ＤＯＷＮ選局指示がなされると（ステップＳ１０１）、チューナに周波数情報を設定し（ステップＳ１０２）、放送波に同調させる。得られた同調信号に関して、デジタル復調処理等を行い、トランスポートストリーム（ＴＳ）と呼ばれるデジタルデータを得る（ステップ１０３）。このデジタルデータは、ＭＰＥＧ規格に準じたデータ構造を有しており、このデータ構造から、ユーザーが選択したサービスのデータのみを抜き取り、さらにＭＰＥＧ復号を行なう（ステップＳ１０４）。このようにして得られたデータを、表示装置に表示させるのに適した映像信号に変換し（ステップＳ１０５〜Ｓ１０７）、これに基づいてユーザーにコンテンツ等を提示する（ステップＳ１０８）。
【０００３】
ここで、チャンネルをＵＰ/ＤＯＷＮさせることによるチャンネルＵＰ/ＤＯＷＮ選局では、上記一連の処理を順次実施する必要があるため、選局時の待ち時間が長くなる傾向にある。特許文献１に記載の技術では、通常選局用の第１のチューナでは従来通りの順次選局処理を行い、別の第２のチューナにおいて選局可能なチャンネルを予め選局しておき、その際に得られた静止画像を各チャンネル情報と関連付けて蓄積装置に記録しておく。順次選局していく際に、この静止画像をＯＳＤ表示することによりユーザーにとっての見かけ上の選局時間を減らす工夫をしている。
【特許文献１】特開2002-320153号公報
【発明の開示】
【発明が解決しようとする課題】
【０００４】
上記特許文献１に記載の技術では、ユーザーに提示する表示画面を黒くしておくブラックアウトなどによる待ち時間を減らすことはできるが、実際の映像提示までに要する時間は短縮されていない。
本発明は、映像提示までに要する実時間を短縮することを目的とする。
【課題を解決するための手段】
【０００５】
本発明の一観点によれば、第１のチューナと第２のチューナとの少なくとも２つのチューナを有するテレビ受信機であって、直前のチャネル番号のＵＰ/ＤＯＷＮ選局処理に基づいて次に行なわれるＵＰ/ＤＯＷＮ選局処理の内容を推測し、前記第１及び第２のチューナのうち直前のチャネル番号のＵＰ/ＤＯＷＮ選局処理が行なわれた方とは異なるチューナにおいて、前記推測に基づいて選局処理の準備を開始する指示を行なう制御部を有することを特徴とするテレビ受信機が提供される。
【０００６】
また、第１から第３までの少なくとも３つのチューナを有するテレビ受信機であって、
直前のチャネル番号のＵＰ/ＤＯＷＮ選局処理に応じて起動されるチューナとは異なる２つのチューナにおいて、ＵＰとＤＯＷＮとの選局処理の準備を開始する指示を行なう制御部を有することを特徴とするテレビ受信機が提供される。
【０００７】
前記準備は、前記異なるチューナへの周波数設定と、ＴＳ信号の取得と、ＭＰＥＧ信号のＤＥＭＵＸ処理と、ＥＳ信号の取得と、ＭＰＥＧ信号のデコード処理と、を有することが好ましい。
【０００８】
これにより、次に選局されるチャネル（ＵＰの場合にはチャネル番号をインクリメントし、ＤＯＷＮの場合にはチャネル番号をデクリメントする）について並行して選局処理を行なうことができる。
【０００９】
本発明の他の観点によれば、第１のチューナと第２のチューナとの少なくとも２つのチューナを有するテレビ受信機におけるチャネル番号のＵＰ/ＤＯＷＮ選局処理方法であって、直前のチャネル番号のＵＰ/ＤＯＷＮ選局処理に基づいて次に行なわれるＵＰ/ＤＯＷＮ選局処理の内容を推測するステップと、前記第１及び第２のチューナのうち直前のチャネル番号のＵＰ/ＤＯＷＮ選局処理が行なわれた方とは異なるチューナにおいて、前記推測に基づいて選局処理の準備を開始する指示を行なうステップと、を有することを特徴とするＵＰ/ＤＯＷＮ選局処理方法が提供される。
【００１０】
すなわち、映像/音声提示と異なるチューナに予め、次に要求されるチャンネル設定を実施し、実際にＵＰ/ＤＯＷＮ選局で指示があったときには、表示装置への信号切替処理のみでユーザーに提示できる。また、未使用となったチューナには、更に次に要求があるチャンネルに対する設定を先に実施して選局指示を待っていればよい。
【発明の効果】
【００１１】
本発明によれば、チャンネルＵＰ/ＤＯＷＮ選局時に、高速な映像/音声の提示が可能となり、選局時にユーザーに待たされているという感じを与えないという利点がある。
【発明を実施するための最良の形態】
【００１２】
以下、本発明の一実施の形態によるテレビ受信機について図面を参照しながら説明を行なう。図１は、本実施の形態によるテレビ受信機の一構成例を示す機能ブロック図である。図１に示すように、テレビ受信機Ａは、第１のチューナ１、第１のＴＳ処理部５、第１のデコーダ１１、第１の映像信号処理部１７と、第２のチューナ３、第２のＴＳ処理部７、第２のデコーダ１５、第２の映像信号処理部２１と、第１及び第２の映像信号処理部１７・２１からの出力のいずれかを切り換えて表示部２５に出力する切り換えＳＷ２３と、を有している。テレビ受信機のＵＰ/ＤＯＷＮ選局には、リモコン装置３５のＵＰ/ＤＯＷＮキー３５ａが用いられる。リモコン装置３５からの指示は、テレビ受信機のリモコン受光部３３により受け取られ、制御部２７からの制御信号に基づいて上記各部が動作する。制御部２７には、これを動作させるためのプログラムが格納されるＲＯＭ３１が接続されている。
【００１３】
図２は、上記テレビ受信機のＵＰ/ＤＯＷＮ選局に関連する動作の流れを示すフローチャート図である。図２に示すように、まず、ステップＳ１において、ＵＰ/ＤＯＷＮ選局指示を受けると、ステップＳ２において切り換えＳＷ２３により映像/音声出力の切り換えが行なわれる。ステップＳ３において次に設定すべきチューナを選択する。設定すべきチューナとして第１チューナが選択された場合には、ステップＳ４に進み第１チューナへの周波数設定を行ない、ステップＳ５においてＴＳ信号を取得し、ステップＳ６においてＭＰＥＧのＤＥＭＵＸ処理を行なう。次いで、ステップＳ７においてＥＳ信号を取得し、ステップＳ８においてＭＰＥＧのＤＥＣＯＤＥ処理を行なう。ステップＳ９において映像/音声出力処理を行ない、ステップＳ１に戻る。
【００１４】
ステップＳ３において第２チューナが選択されると、ステップＳ１０において第２チューナへの周波数設定が行なわれ、ステップＳ１１においてＴＳ信号を取得する。ステップＳ１２においてＭＰＥＧ  ＤＥＭＵＸ処理を行ない、ステップＳ１３においてＥＳ信号を取得する。ステップＳ１４においてＭＰＥＧ  ＤＥＣＯＤＥＣ処理を行ない、ステップＳ１５において映像/音声の出力処理を行ない、ステップＳ１に戻る。このように、チューナ選択時において、次に選局されるチャネル（ＵＰの場合にはチャネル番号をインクリメントし、ＤＯＷＮの場合にはチャネル番号をデクリメントする）について並行して選局処理を行なうことができる。従って、選局を継続的に行なう場合などにおいては、ユーザーにとっての選局に関する待ち時間が効果的に短縮できるという利点がある。
【００１５】
図３は、上記処理中におけるＵＰ/ＤＯＷＮ操作（指示）と、第１のチューナ及び第２のチューナの状態とを例示した図である。まず、チューナ１でチャネル番号Ｘの番組を現在視聴中であるとする。ここで、リモコン装置でＵＰの操作が行なわれると、チューナ１のチャネル番号がＸ＋１となり、チャネル番号Ｘ＋１の番組が選局される。一旦、ＵＰが操作されると、制御部は次もＵＰの操作が行なわれるものと推測し、チューナ２でＸ＋１よりもさらにインクリメントされた番組Ｘ＋２に関する選局準備を行なっておく。次いで、さらにＵＰ操作が行なわれると、チューナ２で準備されていた番組Ｘ＋２が視聴可能になり、一方、空きチューナであるチューナ１は、次もＵＰ操作が行なわれるものと推測し、Ｘ＋３に関する選局準備を行なう。
【００１６】
実際にはＵＰ操作ではなくＤＯＷＮ操作が行なわれると、例えば、空きチューナであるチューナ１において、チューナ２における視聴番組Ｘ＋１をさらにデクリメントした番組Ｘに関する選局準備を行なう。実際に、継続してＤＯＷＮ操作が行なわれると、チューナ１では準備しておいたＸチャネルの番組を視聴することができ、一方、空きチャネルであるチューナ２ではＸ−１のチャネルの選局準備を行なう。
【００１７】
以上のように、本実施の形態によれば、選局を継続的に行なう場合などにおいては、ユーザーにとっての選局に関する待ち時間が効果的に短縮できるという利点がある。
【００１８】
尚、チューナが３以上設けられている場合にも、Ｘを視聴している場合に、ＵＰ操作がされた場合には、Ｘ＋１に変更するとともに、他のチューナでＸ＋２とＸ＋３とに関する選局準備をするようにしても良い。
【００１９】
或いは、図４に示すように、チューナが３つ設けられている場合において、ＵＰ操作、ＤＯＷＮ操作にかかわらず現在視聴中の番組に対して、１インクリメントした番組と１デクリメントした番組を選局準備しておき、実際のＵＰ/ＤＯＷＮ操作に基づいて、いずれかのチューナによる視聴を行なうようにしても良い。
【００２０】
尚、上記実施の形態では、デジタルテレビの選局を例にして説明したが、アナログテレビにも適用可能である。
【産業上の利用可能性】
【００２１】
本発明は、テレビ受信機に適用可能である。
【図面の簡単な説明】
【００２２】
【図１】本発明の一実施の形態によるテレビ受信機の一構成例を示す機能ブロック図である。
【図２】テレビ受信機のＵＰ/ＤＯＷＮ選局に関連する動作の流れを示すフローチャート図である。
【図３】図２に示す処理中におけるＵＰ/ＤＯＷＮ操作（指示）と、第１のチューナ及び第２のチューナの状態とを例示した図である。
【図４】チューナが３つ設けられている場合における、ＵＰ操作、ＤＯＷＮ操作に関する選局準備の様子を示す図である。
【図５】デジタル放送受信機における一般的なＵＰ/ＤＯＷＮ選局指示に関する処理の流れを示すフローチャート図である。
【符号の説明】
【００２３】
Ａ…テレビ受信機、１…第１のチューナ、３…第２のチューナ、５…第１のＴＳ処理部、７…第２のＴＳ処理部、１１…第１のデコーダ、１５…第２のデコーダ、１７…第１の映像信号処理部、２１…第２の映像信号処理部、２３…切り換えＳＷ、２５…表示部、２７…制御部、３１…ＲＯＭ、３３…リモコン受光部、３５…リモコン装置、３５ａ…ＵＰ/ＤＯＷＮキー。
【図１】
2007235788.tif 000003
【図２】
2007235788.tif 000004
【図３】
2007235788.tif 000005
【図４】
2007235788.tif 000006
【図５】
2007235788.tif 000007